(57)【特許請求の範囲】
【請求項１】
下折板屋根と上折板屋根との間に配置され、該上折板屋根および下折板屋根をハゼ締め部を介して相互に連結して二重の折板屋根を葺き上げる折板屋根用取付保持具であって、
前記下折板屋根のハゼ締め部を両側から挟み込む少なくとも２つ合わせの挟持体と、この挟持体に断熱部材を介して設置固定され、前記上折板屋根に連係する吊子とを備え、
前記挟持体は、起立姿勢を保持して合わせ面を形成する前面板と、この前面板の上部に設けられ、前記上折板屋根を支承する天面板と、該前面板の下部に設けられ、前記下折板屋根に対する載置部を形成する底板と、前記前面板、前記天面板、前記底板の相互間に介在する側板からなり、
前記挟持体の少なくとも一方の前面板に、前記下折板屋根のハゼ締め部の頭部を挿入せしめる区画凹所と、先端部を該ハゼ締め部の頚部に当接させて対向するもう一方の前面板との間で挟持する凸部を設け、
該前面板は、その何れか一方の上部に、連結ボルトおよびナットによる挟持体の締結に際してもう一方の前面板に当接させて該前面板の弾性的な変位を誘発する突起を有することを特徴とする折板屋根用取付保持具。
【請求項２】
前記凸部が、前記前面板に一体的につながり、その先端部が、該前面板の面と同等もしくは該面よりも突出する切り起こし舌片であることを特徴とする請求項１に記載した折板屋根用取付保持具。
【請求項３】
前記挟持体は、前記前面板、前記天面板、前記側板との３面が相互に接合する角部に、貫通開孔を有することを特徴とする請求項１または２に記載した折板屋根用取付保持具。
【請求項４】
前記挟持体が金属部材であり、前記断熱部材が、合成樹脂であることを特徴
とする請求項１〜３のいずれか１に記載した折板屋根用取付保持具。
【請求項５】
請求項１〜４のいずれかに記載した折板屋根用取付保持具を、下折板屋根のハゼ締め部に固定保持し、この取付保持具の上端部に上折板屋根を支承して二重構造の折板屋根を構築したことを特徴とする二重の折板屋根構造体。
【発明の詳細な説明】
【技術分野】
【０００１】
本発明は、ハゼ締めタイプの折板屋根に用いて好適な取付保持具と、その取付保持具により構築された二重の折板屋根構造体に関するものである。
【０００２】
下ハゼと上ハゼを重ね併せて締め込むことにより屋根板同士を連結するハゼ締めタイプの折板屋根は、一般住宅やガレージ、校舎、体育館、集会場、工場、倉庫等の屋根等に広く採用されている。
【０００３】
上記の折板屋根は、亜鉛系めっき鋼板やその上に塗装を施したカラー鋼板等の金属板が使用されているが、長期にわたる使用によりそれが老朽化した場合には、古い屋根板を撤去する労力や費用の軽減を図る観点から、該屋根板を残したままで、その上に新たな折板屋根を葺き上げて、二重の折板屋根とすることがある。
【０００４】
また、近年では、熱エネルギーの削減を図るために、建設当初から、二重構造の折板屋根として葺き上げ、その間に断熱材を挿入して断熱性を高める試みもなされている。
【０００５】
上記二重構造の折板屋根は、古い折板屋根あるいは下側に位置する折板屋根（以下、「下折板屋根」と記す）のハゼ締め部に、取付保持具を固定し、該取付保持具に設けられた吊子に、新たな折板屋根（以下、これを「上折板屋根」と記す）の折板縁部(下ハゼ、上ハゼ)を嵌合、連係することにより構築するのが普通である。
【０００６】
かかる取付保持具に要求される性能としては、台風等の強風や積雪等によって大きな引張り荷重や圧縮荷重が加えられても、その自身が簡単に変形することがないこと（耐変形性）、また、下折板屋根の上で上折板屋根を確実に保持することが可能であり、しかも、比較的簡単な作業のもとで二重の折板屋根が構築できること（作業性）がとくに重要となる。
【０００７】
この点に関する従来技術として、特許文献１には、葺替えと断熱金具を構成する挟着片の縦状挟着支持部と首挟着部の左側端部および右側端部を、夫々、下方端縁部の一部又は全部が下方載置部に載置状態に屈曲させるとともに、それを延設せしめて補強部を形成し、縦状挟着支持部と補強部の間に、はぜ締め部の嵌挿部と連接する挿入部を形成した構造の金具が開示されている。
【先行技術文献】
【特許文献】
【０００８】
【特許文献１】特開２００２―１６７９０９号公報
【発明の概要】
【発明が解決しようとする課題】
【０００９】
ところで、上記特許文献１に開示されている金具は、縦状挟着支持部の下端に設けられた偏平な板状体からなる首挟着部によって、はぜ締め部の首部を挟み込んで固定するが、折板屋根に引張力が作用した場合、該首挟着部が変形し、屋根の固定が不十分になるおそれがあった。
【００１０】
そこで、本発明の目的は、下折板屋根と上折板屋根とを相互につなぐ取付保持具につき、該取付保持具を、下折板屋根のハゼ締め部に確実に固定して上折板屋根を長期にわたり安定的に支承できる取付保持具を提案するところにある。
【課題を解決するための手段】
【００１１】
本発明は、下折板屋根と上折板屋根との間に配置され、該上折板屋根および下折板屋根をハゼ締め部を介して相互に連結して二重の折板屋根を葺き上げる折板屋根用取付保持具であって、前記下折板屋根のハゼ締め部を両側から挟み込む少なくとも２つ合わせになる挟持体と、この挟持体に断熱部材を介して設置固定され、前記上折板屋根に連係する吊子とを備え、前記挟持体は、起立姿勢を保持して合わせ面を形成する前面板と、この前面板の上端に設けられ、前記上折板屋根を支承する天面板と、該前面板の下端に設けられ、前記下折板屋根に対する載置部を形成する底板と、前記前面板、前記天面板、前記底板の相互間に介在する側板からなり、前記挟持体の少なくとも一方の前面板に、前記下折板屋根のハゼ締め部頭部を挿入せしめる区画凹所と、先端部を該ハゼ締め部の頚部に当接させて対向するもう一方の前面板との間で挟持する凸部を設け、該前面板は、そのいずれか一方の上部に、連結ボルトおよびナットによる挟持体の締結に際してもう一方の前面板に当接させて該前面板の弾性的な変位を誘発する突起を有することを特徴とする折板屋根用取付保持具である。
【００１２】
上記の構成からなる折板屋根用取付保持具においては、
（１）前記凸部が、前記前面板に一体的につながっており、その先端部が、該前面板の面（つら）と同等もしくは該面よりも突出する切り起こし舌片であること、
（２）前記挟持体は、前記前面板、前記天面板、前記側板との３面が相互に接合する角部に、貫通開孔を有すること、
（３）前記挟持体が、金属部材であり、前記断熱部材が、合成樹脂であること、
が、課題解決のための具体的手段として好ましい。
【００１３】
また、本発明は、上記のいずれかに記載した折板屋根用取付保持具を、下折屋根のハゼ締め部に固定保持し、この取付保持具の上端部に上折屋根を支承して二重構造の折板屋根を構築したことを特徴とする二重の折板屋根構造体である。
【発明の効果】
【００１４】
上記の構成からなる折板屋根用取付保持具によれば、二重の折板屋根を葺き上げる折板屋根用取付保持具を、下折板屋根のハゼ締め部を両側から挟み込む少なくとも２つ合わせになる挟持体と、この挟持体に断熱部材を介して設置固定され、上折板屋根に連係する吊子とを備えたもので構成し、このうち、挟持体については、起立姿勢を保持して合わせ面を形成する前面板と、この前面板の上端に設けられ、前記上折板屋根を支承する天面板と、該前面板の下端に設けられ、前記下折板屋根に対する載置部を形成する底板と、前記前面板、前記天面板、前記底板の相互間に介在する側板からなるものとして、該挟持体の少なくとも一方の前面板に、前記下折板屋根のハゼ締め部頭部を挿入せしめる区画凹所と、先端部を該ハゼ締め部の頚部に当接させて対向するもう一方の前面板との間で挟持する凸部を設けることとしたため、引張力、圧縮力に対して高い強度を得ることができると共に、該凸部により十分な保持力を確保することが可能となる。
【００１５】
また、本発明にかかる折板屋根用取付保持具によれば、前記凸部を、前面板に一体的につながり、その先端部が、該前面板の面（つら）と同等もしくは該面よりも突出する切り起こし舌片としたため、部品点数を増加させることなしに下折板屋根のハゼ締め部の頚部に確実に固定することができる。
【００１６】
また、本発明による折板折板屋根用取付保持具によれば、前記前面板、前記天面板、前記側板との３面が相互に接合する角部に、貫通開孔を設けるようにしたため、挟持体を絞り加工あるいはプレス加工等によって成形する場合に、該貫通開孔が、余計な材料の逃がし部位として機能することとなり、皺が発生する等の成形不良を回避し得る。
【００１７】
なお、本発明によれば、前記挟持体を、金属部材で構成し、前記断熱部材を、合成樹脂で構成するようにしたため、引張り、圧縮に対する十分な強度を確保しつつ、断熱効果を高めることができる。
【００１８】
さらに、上記のいずれかに記載した折板屋根用取付保持具を、下折屋根のハゼ締め部に固定保持し、この取付保持具の上端部に上折屋根を支承することにより、簡便な作業のもとで効率的に二重構造の折板屋根を構築することができる。
【図面の簡単な説明】
【００１９】
【図１】折板屋根用取付保持具の好適例を示した図である。
【図２】図１に示した折板屋根用取付保持具の左側面を示した図である。
【図３】図１に示した折板屋根用取付保持具の右側面を示した図である。
【図４】図１のＸ−Ｘ断面を示した図である。
【図５】図１〜３に示した折板屋根用取付保持具の分解状態を示した外観斜視図である。
【図６】本発明に従う折板屋根用取付保持具の実施の形態を示した図である。
【発明を実施するための形態】
【００２０】
以下、図面を参照して、本発明をより具体的に説明する。
図１は、折板屋根用取付保持具を、下折板屋根のハゼ締め部に固定すると共に、その上に上折板屋根を支承して二重の折板屋根構造体を構築した例をその正面について示した図である。
【００２１】
また、図２は、図１に示した折板屋根用取付保持具の左側面を示した図であり、図３は、図１に示した折板屋根用取付保持具の右側面を示した図であり、さらに、図４は、図１のＸ−Ｘ断面を示した図であり、図５は、図１〜３に示した折板屋根用取付保持具の分解状態を示した外観斜視図である。
【００２２】
上記の折板屋根用取付保持具は、基本的には、下折板屋根のハゼ締め部に沿い、間隔をあけて複数個所に設置されるものであるが、ここでは、１つの取付保持具についてのみ表示する。
【００２３】
図１における符号１は、既存の構築物を構成するタイトフレームＦに設置された下折板屋根、２は、下折板屋根１を構成する屋根材同士をその縁部で連結したハゼ締め部である。このハゼ締め部２は、屋根材の縁部に設けられた下ハゼと上ハゼを重ね合わせてハゼ締めすることにより形成される。
【００２４】
また、３は、下折板屋根１の上部に設けられた上折板屋根、４は、上折板屋根３のハゼ締め部である。
【００２５】
また、図１〜５における符号５は、下折板屋根１と上折板屋根２との間に配置され、それらを相互に連結して二重の折板屋根を葺き上げる折板屋根用取付保持具である。
【００２６】
折板屋根用取付保持具５は、下折板屋根１のハゼ締め部２を両側から挟み込む少なくとも２つ合わせの挟持体（亜鉛めっき鋼板等の金属部材が適用される）５Ａ、５Ｂ（以下、挟持体５Ａを「ハゼ係合金物５Ａ」と記し、挟持体５Ｂを「吊子取付金物５Ｂ」と記すこととする）と、この挟持体５Ａ、５Ｂに断熱部材（プラスチック等の合成樹脂で構成される）５Ｃを介して設置固定され、上折板屋根３に連係する吊子５Ｄとを備えている。
【００２７】
上記折板屋根用取付保持具５のハゼ係合金物５Ａは、起立姿勢を保持して右金物５Ｂとの合わせ面を形成する前面板５Ａ１と、この前面板５Ａ１の上部に設けられ、上折板屋根３を支承する天面板５Ａ２と、前面板５Ａ１の下部に設けられ、下折板屋根１に対する載置部を形成する底板５Ａ３と、該前面板５Ａ１、天面板５Ａ２、底板５Ａ３の相互間に介在して補強部材として機能する左側板５Ａ４、右側板５Ａ５から構成される。
【００２８】
ここに、上記天面板５Ａ２、底板５Ａ３、左側板５Ａ４、右側板５Ａ５は、それぞれ、その一端が前面板５Ａ１の縁部に一体連結しており、それらを、前面板５Ａ１との連結部位で屈曲（曲げ加工）させた単一部材からなる。
【００２９】
なお、天面板５Ａ２は、吊子取付金物５Ｂとの締結に際して段差Ｄを形成して断熱部材５Ｃ、吊子５Ｄの位置決めを簡便に行い得る傾斜壁部５Ａ２′を有する。また、左側板５Ａ４、右側板５Ａ５の後端部には、引張力が作用した際の補強のために屈曲部が形成されている。
【００３０】
また、吊子取付金物５Ｂは、起立姿勢を保持してハゼ係合金物５Ａとの合わせ面を形成する前面板５Ｂ１と、この前面板５Ｂ１の上端に設けられ、上折板屋根３を支承する天面板５Ｂ２と、前面板５Ｂ１の下部に設けられ、下折板屋根１に対する載置部を形成する底板５Ｂ３と、該前面板５Ｂ１、天面板５Ｂ２、底板５Ｂ３の相互間に介在して補強部材として機能する左側板５Ｂ４、右側板５Ｂ５から構成される。
【００３１】
吊子取付金物５Ｂについても、上記天面板５Ｂ２、底板５Ｂ３、左側板５Ｂ４、右側板５Ｂ５は、それぞれ、その一端が前面板５Ｂ１の端部に一体連結しており、そのうち、左側板５Ｂ４、右側板５Ｂ５については絞り加工あるいはプレス加工等により成形されており、底板５Ｂ３は、前面板５Ｂ１との連結部位で屈曲（曲げ加工）させた単一部材からなる。
【００３２】
また、断熱部材５Ｃは、下折板屋根１と上折板屋根３との相互間における熱の伝導を阻止するものであって、この例では、ハゼ係合金物５Ａと吊子取付金物５Ｂとの間で形成された段差Ｄに適合する断面形状を有する屈曲プレートを適用した場合について示してある。
【００３３】
上記断面部材５Ｃは、ハゼ係合金物５Ａの天面板５Ａ２を貫通する開口に嵌合するビスの如き締結手段にて、該天面板５Ａ２に固定されている（固定手段はとくに限定されない）。
【００３４】
また、吊子５Ｄは、上折板屋根１を構成する屋根材の縁部に設けられた下ハゼ、上ハゼを嵌合させて該屋根材同士を相互につなぎ合わせると共に、該上折板屋根１を取付保持具５に連係させる鈎状の連係子５Ｄ１と、この連係子５Ｄ１に一体的につながり、該連係子５Ｄ１を、吊子取付金物５Ｂの天面板５Ｂ２に固定するベース５Ｄ２から構成される。
【００３５】
ベース５Ｄ２は、ここでは、吊子取付金物５Ｂの天面板５Ｂ２にボルトを介して固定する場合を例として示してあり、該ボルトに羅合するナットを収納することができるように、上方へ向けて開放された凹部を有する溝型部材が適用される。そして、その溝型部材の上縁部には、横向きのフランジｅが設けられており、該フランジｅを受け座として、上折板屋根３を支承することができるようになっている。
【００３６】
６は、ハゼ係合金物５Ａの前面板５Ａ１の下部に設けられた区画凹所である。この区画凹所６は、この例では、吊子取付金物５ｂに向けて開放された横向きのＵ字断面形状をなすものとして示してあり、この部位に下折板屋根１のハゼ締め部２の頭部２aを挿入する（図１参照）。
【００３７】
また、７は、区画凹所６を形成する底壁の部分において切り起こされた切り起こし舌片の例で示した凸部である。
【００３８】
上記凸部７は、その先端が、該前面板の面（つら）と同等もしくは該面よりも突出しており、該先端部７ａをハゼ締め部２の頚部２ｂに当接させて対向する吊子取付金物５Ｂの前面板５Ｂ１との間で挟持することで取付保持具５そのものを下折板屋根１に強固に固定する。
【００３９】
８は、ハゼ係合金物５Ａの前面板５Ａ１で、区画凹所６の直上に設けられた角孔、９は、吊子取付金物５Ｂの前面板５Ｂ１に設けられ、窓孔８に連通する角孔、１０は、窓孔８、窓孔９を通して挿入され、ハゼ係合金物５Ａおよび吊子取付金物５Ｂを相互につなぎ止める連結ボルト、１１は、ボルト１０に螺合するナットである。
【００４０】
連結ボルト１０の頚部１０ａは、四角形状をなしており（図５参照）、この頚部１０ａが、上記角孔８、９に適合することにより、ナット１１を締め付ける際の連結ボルト１０の空転を阻止して容易な取付け作業を実現する。
【００４１】
１２は、吊子５Ｄに設けられた角孔、１３は、断熱部材５Ｃに設けられ、角孔１２に連通する角孔、１４は、吊子取付金物５Ｂの天面板５Ｂ２に設けられ、角孔１２、１３に連通する角孔、１５は、角孔１２〜１４を通して挿入され、吊子５Ｄ、断熱部５Ｃを吊子取付金物５Ｂの天面板５Ｂ２に固定保持する連結ボルト、そして、１６は、ボトル１５に羅合するナットである。
【００４２】
連結ボルト１５の頚部１５ａは、四角形状をなしており、この頚部１５ａが、上記角孔１２〜１４に適合することにより、ナット１６を締め付ける際の連結ボルト１０の空転、落下を阻止して容易な取付け作業を実現する。
【００４３】
さらに、図における符号１７は、吊子取付金物５Ｂの天面板５Ｂ２、左側板５Ｂ４、右側板５Ｂ５の３面が相互に接合した角部に設けられた貫通開孔である（図１、図５参照）。貫通開孔１７は、吊子取付金物５Ｂを絞り成形、あるいはプレス成形によって成形する際に、余計な材料を逃がして皺等が生じるのを防止する。
【００４４】
貫通開孔１７は、この例では、円形状のものを示したが、余計な材料を逃がすことができるものであれば、形状はとくに限定されない。
【００４５】
また、符号１８は、吊子５Ｄのベース５Ｄ２の底壁、側壁の接合部に設けられた上記貫通開孔１７と同様の機能を有する貫通開孔である。なお、貫通開孔１７、１８は、あってもよいし、なくてもよい。
【００４６】
吊子５Ｄを、絞り成形やプレス成形にて加工する場合に、該貫通開孔１８を設けておくことにより、余分な材料を該貫通開孔１８に逃がすことが可能であり、これにより、絞り成形あるいはプレス成形の際に皺の発生等の成形不良を回避することができる。
【００４７】
上記の取付保持具５を用いて二重の折板屋根構造体を構築するには、ハゼ係合金物５Ａ、吊子取付金物５Ｂの前面板５Ａ、５Ｂを向かい合わせにして下折板屋根１のハゼ締め部２の頭部２aを区画凹所６に挿入すると共に、角孔８、９にボルト１０を通し、該ボルト１０およびナット１１により、該ハゼ係合金物５Ａ、吊子取付金物５Ｂを相互に締結する。
【００４８】
これにより、ハゼ締め部２の頚部２ｂは、図１に示す如く、凸部７と吊子取付金物５Ｂの前面板５Ｂ１に強固に挟持されることとなる。
【００４９】
次いで、ハゼ係合金物５Ａ、吊子取付金物５Ｂの天面板５Ａ２、５Ｂ２に断熱部材５Ｃを配置し、該断熱部材５Ｃの上に吊子５Ｄを載置したのち、角孔１２〜１４にボルト１５を通してナット１６を締め込み、さらに、この吊子５Ｄの上に上折板屋根３を構成する屋根材を配置してその縁部に設けられた下ハゼ、上ハゼを連係子５Ｄ１に嵌合させてハゼ締めする。
【００５０】
図６は、ハゼ係合金物５Ａの前面板５Ａ１の上部に突起１９を設け、ハゼ係合金物５Ａ、吊子取付金物５Ｂの締結に際して、該突起１９を吊子取付金物５Ｂの前面板５Ｂ１に当接させた構造のものである。
【００５１】
かかる構造の取付保持具５においては、該取付保持具５を下折板屋根１のハゼ締め部に強固に固定することができるだけでなく、前面板５Ａ１、５Ｂ１の感に形成される隙間を、ボルト１０の締め代として活用して、締結力をより一層高めることができると共に、前面板の弾性的な変位を誘発することによりナットの緩みを防止させ得る利点がある。
【００５２】
なお、突起１９は、吊子取付金物５Ｂの前面板５Ｂ１の上部に設けることも可能であり、また、ハゼ係合金物５Ａあるいは吊子取付金物５Ｂの一部分を隆起させることにより突起１９を形成してもよく、この点については限定されない。
【００５３】
切起こし舌片で例示した凸部７については、ハゼ係合金物５Ａに設けた場合について図示したが、該凸部７は吊子取付金物５Ｂに設けてもよいし、その両方に設けても勿論よい。
【産業上の利用可能性】
【００５４】
本発明によれば、下折板屋根における固定が確実であり、上折板屋根を長期にわたり安定して支承可能な取付保持具が提供できる。
【００５５】
また、本発明によれば、簡便かつ効率的な作業のもとで二重の折板屋根構造体を構築することができる。
【符号の説明】
【００５６】
１      下折板屋根
２      ハゼ締め部
２ａ    頭部
２ｂ    頚部
３      上折板屋根
４      ハゼ締め部
５      取付保持部
５Ａ    挟持体（ハゼ係合金物）
５Ａ１  前面板
５Ａ２  天面板
５Ａ３  底板
５Ａ４  左側板
５Ａ５  右側板
５Ｂ    挟持体（吊子取付金物）
５Ｂ１  前面板
５Ｂ２  天面板
５Ｂ３  底板
５Ｂ４  左側板
５Ｂ５  右側板
５Ｃ    断熱部材
５Ｄ    吊子
５Ｄ１  連係子
５Ｄ２  ベース
６      区画凹所
７      凸部
７ａ    先端部
８      角孔
９      角孔
１０    連結ボルト
１０ａ  頚部
１１    ナット
１２    角孔
１３    角孔
１４    連結ボルト
１４ａ  頚部
１５    連結ボルト
１５ａ  頚部
１６    ナット
１７    貫通開孔
１８    貫通開孔
１９    突起
Ｄ      段差
ｅ      フランジ
Ｆ      タイトフレーム
【図１】
0005868071.tif 000002
【図２】
0005868071.tif 000003
【図３】
0005868071.tif 000004
【図４】
0005868071.tif 000005
【図５】
0005868071.tif 000006
【図６】
0005868071.tif 000007